(57)【要約】【課題】半透過型の液晶表示装置において、透過領域のコントラストを劣化させることなく、透過領域の広視野角化と、反射領域の反射率の向上を図る。【解決手段】液晶分子３１及び二色性色素分子３２を含む液晶層ＬＣが、透過領域及び反射領域に区分された第１の透明基板１０及び第２の透明基板２０により封止されている。第１の透明基板１０の透過領域には、第１の透明電極層１５、絶縁膜１６、複数のスリット部Ｓ及び電極部１７を有した第２の透明電極層１７Ａがこの順で配置されている。第１の透明基板１０の反射領域には、反射電極層として反射板１４及び第１の透明電極層１５がこの順で配置されている。また、第２の透明基板２０の反射領域には、第１の透明基板１０と対向して、第３の透明電極層２４が形成されている。この構成により、透過領域の広視野角化と、反射領域の反射率の向上を図ることができる。【選択図】図２
2008070460.tif 000002
【特許請求の範囲】
【請求項１】
複数の画素を備え、各画素は、
透過光量が制御される透過領域及び反射光量が制御される反射領域と、
液晶分子及び二色性色素分子を含み第１の透明基板及び第２の透明基板に封止された液晶層と、
前記第１の透明基板の前記透過領域に配置された第１の透明電極層及び第２の透明電極層と、
前記第１の透明基板の前記反射領域に配置された反射電極層と、
反射電極層と対向して、前記第２の透明基板の前記反射領域に配置された第３の透明電極層と、を有することを特徴とする液晶表示装置。
【請求項２】
前記第１の透明電極層を覆う絶縁膜をさらに有し、前記第２の透明電極層は複数のスリット部を有し前記絶縁膜上に配置されていることを特徴とする請求項１記載の液晶表示装置。
【請求項３】
前記透過領域のセルギャップは、前記反射領域のセルギャップよりも小さいことを特徴とする請求項１又は請求項２記載の液晶表示装置。
【請求項４】
前記第２の透明基板の前記透過領域には、前記第１の透明基板に対向して、透明材料からなる突起部が形成されていることを特徴とする請求項１、２、３のいずれかに記載の液晶表示装置。
【請求項５】
前記液晶分子の配向方向に応じて前記二色性色素分子の光吸収軸の向きが制御され、前記反射領域では、前記二色性色素分子による光吸収によって黒表示が得られることを特徴とする請求項１、２、３、４のいずれかに記載の液晶表示装置。
【請求項６】
前記二色性色素分子は、前記第１の透明電極層及び前記反射電極層にほぼ電圧が印加されない状態で、入射光が吸収される向きに配向されていることを特徴とする請求項５記載の液晶表示装置。
【発明の詳細な説明】
【技術分野】
【０００１】
本発明は、１つの画素に透過領域及び反射領域を有する半透過型の液晶表示装置に関する。
【背景技術】
【０００２】
液晶表示装置は、薄型で低消費電力であるという特徴を備え、現在コンピュータのモニターや、携帯電話等の携帯情報機器のモニターとして広く用いられている。液晶表示装置には、透過型及び反射型の液晶表示装置がある。
【０００３】
透過型の液晶表示装置は、液晶層の後方に光源としてバックライトを配置し、液晶層を介したバックライト光の透過光量を、液晶層への電圧印加によって制御することで周囲が暗くても明るい表示ができる。しかし、常にバックライトを点灯して表示を行うため、消費電力が大きいこと、また昼間の屋外のように外光が強い環境では、十分なコントラストを確保できない特性がある。
【０００４】
一方、反射型の液晶表示装置では、太陽光や室内灯などの外光を光源として用い、その液晶層に入射する上記外光を、反射電極によって反射する。そして、液晶層を介した反射光の射出光量を、反射電極への電圧印加によって制御することによって表示を行う。この反射型液晶表示装置は、光源として外光を用いるため、外光がない環境では表示を行えないが、透過型の液晶表示装置とは異なり、光源による消費電力がなく低消費電力であり、また外光が強い環境で十分なコントラストが得られるという特性がある。
【０００５】
そこで近年、透過型及び反射型の両機能を併せ持ち、周囲が明るい環境でも暗い環境でも見やすい液晶表示装置として半透過型の液晶表示装置が開発されている。図６に、アクティブマトリクス型の従来例に係る半透過型の液晶表示装置を示す。図６は、複数個の画素のうち、１つの画素を示す断面図である。他の画素についても図６と同様の構成を有している。
【０００６】
この液晶表示装置は、ノーマリーホワイト型であり、ＥＣＢ（電界制御型複屈折）モードで動作するものとして説明する。バックライトＢＬに対向して、第１の偏光板５１を備えた第１の透明基板５０と、第１の偏光板５１とクロスニコル配置された第２の偏光板６１を備えた第２の透明基板６０とが貼り合わされ、これらの透明基板の間に液晶層ＬＣが封止されている。反射領域の第１の透明基板５０上には、画素毎に駆動用の薄膜トランジスタ（Thin Film Transistor、以降、「ＴＦＴ」と略称する）５２が形成されている。第１の透明基板５０及びＴＦＴ５２は、平坦化膜５３に覆われている。反射領域の平坦化膜５３には、反射領域に入射する外光を反射するアルミニウム等の反射板５４、及びコンタクトホールＣＨが設けられている。このコンタクトホールＣＨを通して、ＴＦＴ５２に対してＩＴＯ（Indium Tin Oxide）等の透明金属からなる第１の透明電極層５５（即ち画素電極）が接続されている。この第１の透明電極層５５は、反射領域及び透過領域に延びている。即ち、反射領域では、反射板５４及び第１の透明電極層５５が反射電極層として機能する。第１の透明電極層５５は不図示の配向膜に覆われている。
【０００７】
一方、第２の透明基板６０上には、各画素の境界を遮光するブラックマトリクス６２が形成されている。また、第２の透明基板６０上には、感光性有機材料からなり、ブラックマトリクス６２を覆うカラーフィルタ６３が形成されている。カラーフィルタ６３上には、ＩＴＯ等の透明金属からなる第２の透明電極層６５（即ち共通電極）が形成されている。第２の透明電極層６５は不図示の配向膜に覆われている。
【０００８】
さらに、第１の透明基板５０及び第２の透明基板６０には、第１の位相差板５７及び第２の位相差板６７がそれぞれ配置されている。反射領域では、この第２の位相差板６７により、入射光及び反射光の直線偏光状態を円偏向状態に変化させることで、液晶層ＬＣに電圧が印加された状態で黒表示を可能にし、ノーマリーホワイト型の表示を実現している。
【０００９】
一方、透過領域では、ノーマリーホワイト型の表示を得るためには位相差板は本来必要ではないが、第２の位相差板６７が設けられるため、その位相差を相殺して、反射領域と同じノーマリーホワイト型の表示を得る必要がある。そこで、第１の透明基板５０に、第２の位相差板６７と同様な第１の位相差板５７が貼り合わされている。
【００１０】
この液晶表示装置を透過型として用いる場合、即ち透過モードにより用いる場合には、各画素の第１の透明電極層５５に印加される表示信号に応じて、バックライトＢＬの光の透過光量が制御されることにより表示を行うことができる。また、この液晶表示装置を反射型として用いる場合、即ち反射モードにより用いる場合には、同一の画素の第１の透明電極層５５に印加される表示信号に応じて、反射板５４で反射される反射光量が制御されることにより表示を行うことができる。このような半透過型の液晶表示装置については、特許文献１に記載されている。
【特許文献１】特開２００５−１４１１１０号公報
【発明の開示】
【発明が解決しようとする課題】
【００１１】
上述した液晶表示装置では、第１の透明電極層５５と第２の透明電極層６５との間に電界が生じても、第１の透明基板５０の界面近傍、及び第２の透明基板６０の界面近傍では、それらの透明基板と液晶分子との相互作用が強いため、電界の方向に沿って液晶分子７１が十分に立ち上がらないという問題があった。また、電界の無い状態での液晶分子７１がホモジニアス配向されているため、その立ち上がり方向にばらつきが生じるという問題があった。このような液晶分子７１の配向の乱れにより、画像を観察する角度によっては不要な位相差が生じ、コントラストの劣化や階調の反転等による表示品位の劣化が起きる場合があった。即ち、視野角が狭くなるという問題があった。
【００１２】
これに対して、液晶層を他のモードや方式で制御する方法が考えられるが、上記問題を解決し、かつ実用に耐えうる液晶表示装置の開発は十分ではなかった。例えば、広視野角を得るためにＶＡ（Vertically Aligned）モードを用いると、低い視角での色変化が大きくなるという問題が生じていた。また、透明基板に対して水平方向の電界を用いたＩＰＳ（In-plane-switching）方式やＦＦＳ方式（Fringe-field-switching）方式では、広視野角及び高いコントラストが得られるが、透過型及び反射型の機能を同一画素内で両立させるためには第１及び第２の位相差板５７，６７と同様の位相差板が必要であり、この位相差板によって透過領域におけるコントラストが劣化していた。
【課題を解決するための手段】
【００１３】
そこで本発明は、半透過型の液晶表示装置において、透過領域のコントラストを劣化させることなく広視野角化を図る。
【００１４】
本発明の液晶表示装置は、複数の画素を備え、各画素は、透過光量が制御される透過領域及び反射光量が制御される反射領域と、液晶分子及び二色性色素分子を含み第１の透明基板及び第２の透明基板に封止された液晶層と、前記第１の透明基板の前記透過領域に配置された第１の透明電極層及び第２の透明電極層と、前記第１の透明基板の前記反射領域に配置された反射電極層と、反射電極層と対向して、前記第２の透明基板の前記反射領域に配置された第３の透明電極層と、を有することを特徴とする。
【００１５】
かかる構成によれば、分子の向く方向によって色の吸収率が異なる二色性色素分子を、液晶分子の配向方向に応じて制御することにより、広い視野角の透過領域と、反射率の高い反射領域を有した半透過型の液晶表示装置を実現できる。その際、位相差板を必要としないため、その位相差板を起因とする透過領域のコントラストの劣化を抑止できる。
【発明の効果】
【００１６】
本発明によれば、半透過型の液晶表示装置において、透過領域のコントラストを劣化させることなく、透過領域の広視野角化と、反射領域の反射率の向上を図ることができる。
【発明を実施するための最良の形態】
【００１７】
本発明の第１の実施形態に係る半透過型の液晶表示装置について図面を参照して説明する。図１は、本実施形態に係る液晶表示装置を示す平面図である。図１では、説明の便宜上、主要な構成要素のみを図示している。また、図２（Ａ）及び図３（Ａ）は、図１のＸ−Ｘ線に沿った断面図である。図２（Ａ）は液晶層ＬＣに電界が生じないオフ状態を示し、図３（Ａ）は、液晶層ＬＣに電界が生じるオン状態を示している。図２（Ｂ）及び図３（Ｂ）は、図２（Ａ）及び図３（Ａ）の透過領域における液晶分子３１及び二色性色素分子３２の配向方向（ダイレクターの配向方向）を示している。
【００１８】
なお、この液晶表示装置には、複数の画素１がマトリクス状に配置されているが、図２（Ａ）及び図３（Ａ）では、その中から１つの画素１のみを示している。他の画素の構成は図２（Ａ）及び図３（Ａ）と同様である。また、この液晶表示装置は、ノーマリーブラック型の透過領域及び反射領域を有するものとして説明する。
【００１９】
最初に、この液晶表示装置の概略構成について説明する。透過領域及び反射領域に区分された第１の透明基板１０には、第２の透明基板２０が貼り合わされ、これらの透明基板の間に液晶層ＬＣが封止されている。この液晶層ＬＣは、いわゆるゲストホストモードにより制御されるものであり、液晶分子３１及び二色性色素分子３２を含んでいる。液晶分子３１は正の誘電率異方性を有したネマティック液晶分子である。二色性色素分子３２は、分子の向く方向によって特定の色の吸収率が異なる色素分子である。以降、二色性色素分子３２において特定の色の光を吸収する軸を、「光吸収軸」と呼ぶ。
【００２０】
本実施形態では、例として、二色性色素分子３２が長軸及び短軸を有した細長い棒状の形状である場合について説明する。この場合、光吸収軸は二色性色素分子３２の長軸である。また、液晶層ＬＣには、必要に応じて、単色のみならず、異なる色に対応した多種類の二色性色素分子３２が含まれてもよい。
【００２１】
なお、液晶層ＬＣの仕様は、例えば、その屈折率は約０．１であり、二色性色素分子３２の添加率は約２％である。
【００２２】
次に、第１の透明基板１０及び第２の透明基板２０の詳細構成について説明する。第１の透明基板１０には、バックライトＢＬと対向して、第１の偏光板１１が配置されている。第１の透明基板１０の反射領域では、バックライトＢＬと対向しない側に、不図示のバッファ層を介して、各画素１の反射領域に駆動用のＴＦＴ１２が配置されている。ＴＦＴ１２は平坦化膜１３に覆われている。反射領域の平坦化膜１３には、反射領域に入射する外光を反射する材料、例えばアルミニウムからなる反射板１４、及びコンタクトホールＣＨが設けられている。このコンタクトホールＣＨを通して、ＴＦＴ１２に対して、ＩＴＯ（Indium Tin Oxide）等の透明金属からなる第１の透明電極層１５（即ち画素電極）が接続されている。この第１の透明電極層１５は、反射領域及び透過領域を覆っている。即ち、反射領域では、反射板１４及び第１の透明電極層１５が反射電極層として機能する。なお、図示しないが、反射領域では、反射板１４及び第１の透明電極層１５が積層される替わりに、反射機能を有し透過領域の第１の透明電極と接続された単層の反射電極層が配置されてもよい。
【００２３】
第１の透明電極層１５より上層の構成は、透過領域と反射領域によって異なる。即ち、透過領域では、第１の透明電極層１５は、低温成膜のシリコン窒化膜やシリコン酸化膜等からなる絶縁膜１６に覆われている。この絶縁膜１６上には、複数のスリット部Ｓ及び電極部１７を有した第２の透明電極層１７Ａ（即ち共通電極）が配置されている。第２の透明電極層１７Ａは、配向膜１８によって覆われている。他方の反射領域では、絶縁膜１６、第２の透明電極層１７Ａは配置されていない。
【００２４】
また、第２の透明基板２０の全面には、第１の透明基板１０と対向しない側において、第２の偏光板２１が配置されている。偏光板の透過軸を偏光軸と呼ぶこととすると、第２の偏光板２１の偏光軸ＰＬ２は、第１の偏光板１１の偏光軸ＰＬ１と直交している。配向膜１８のラビング方向は、第２の偏光板の偏光軸ＰＬ２に平行であり、第１の偏向板の偏光軸ＰＬ１とは直交している。
【００２５】
第２の透明基板２０上であって第１の透明基板１０と対向する側には、各画素１の境界を遮光するブラックマトリクス２２が形成されている。また、第２の透明基板２０上には、感光性有機材料からなり、ブラックマトリクス２２を覆うカラーフィルタ２３が形成されている。ここで、反射領域のカラーフィルタ２３上には、反射板１４と対向して、第３の透明電極層２４（即ち共通電極）が配置されている。透過領域には第３の透明電極層２４は配置されない。カラーフィルタ２３及び第３の透明電極層２４は、配向膜１８と同様のラビング方向を有した配向膜２８によって覆われている。
【００２６】
この構成により、透過領域では、印加電圧に応じて、第１の透明電極層１５と第２の透明電極層１７Ａの電極部１７との間に、第１の透明基板１０の水平面に対して平行又は略平行な電界が生じる。他方の反射領域では、印加電圧に応じて、第１の透明電極層１５と第３の透明電極層２４との間に、第１の透明基板１０の水平面に対して垂直な電界が生じる。
【００２７】
次に、上述した液晶表示装置の動作について説明する。最初に、液晶層ＬＣに電界がほぼ生じないオフ状態について説明する。透過領域では、図２（Ａ）及び図２（Ｂ）に示すように、第１の透明電極層１５と第２の透明電極層１７Ａの電極部１７との間に電界がほぼ生じないため、液晶分子３１の配向方向は、第２の偏光板２１の偏光軸ＰＬ２と一致する。このとき、二色性色素分子３２の光吸収軸（長軸）も、液晶分子３１の配向方向に従って第２の偏光板２１の偏光軸ＰＬ２と一致する。
【００２８】
この場合、第１の偏光板１１に入射したバックライトＢＬからの光は、その偏光軸ＰＬ１に応じた直線偏光となり、液晶層ＬＣを透過する。しかし、この直線偏光は、その偏光軸が第２の偏光板２１の偏光軸ＰＬ２と直交するため、第２の偏光板２１によって吸収される。
【００２９】
他方の反射領域では、第１の透明電極層１５と第３の透明電極層２４との間に電界がほぼ生じないため、液晶分子３１及び二色性色素分子３２の配向方向は、第２の偏光板２１の偏光軸ＰＬ２と一致し、かつ第１の透明基板１０と平行である。
【００３０】
この場合、第２の偏光板２１に入射する外光が、その偏光軸ＰＬ２に応じた直線偏光となって液晶層ＬＣに入射する。この直線偏光の偏光軸は、液晶層ＬＣの二色性色素分子３２の長軸、即ち光吸収軸と一致する。そのため、液晶層ＬＣに入射した直線偏光は、二色性色素分子３２によって吸収されることになり、反射板１４で反射されて液晶層ＬＣから出射することは無い。こうして、透過領域及び反射領域共に、ノーマリーブラック型の黒表示が実現される。
【００３１】
次に、液晶層ＬＣに電界が生じるオン状態について説明する。透過領域では、図３（Ａ）及び図３（Ｂ）に示すように、第１の透明電極層１５と第２の透明電極層１７Ａの電極部１７との間に、第１の透明基板１０の水平面に対して平行又は略平行に電界が生じる。ここで、液晶分子３１の配向方向は、電界の方向に応じて、第１の透明基板１０の水平面に対して平行又は略平行に回転し、第２の偏光板２１の偏光軸ＰＬ２に対して、所定の角度、例えば約４５度の角度で傾斜する。このとき、二色性色素分子３２の光吸収軸（長軸）も、液晶分子の配向方向に従って回転する。
【００３２】
この場合、透過領域では、第１の偏光板１１に入射したバックライトＢＬからの光は、その偏光軸ＰＬ１に応じた直線偏光となって液晶層ＬＣに入射する。この直線偏光は、液晶分子３１の複屈折によって楕円偏光となる。この楕円偏光が第２の偏光板２１に入射する。第２の偏光板２１は、楕円偏光のうち偏光軸ＰＬ２と一致する成分を透過して出射する。
【００３３】
他方の反射領域では、図３（Ａ）に示すように、反射板１４上の第１の透明電極層１５と第３の透明電極層２４との間に、第１の透明基板１０の水平面に対して垂直に電界が生じる。ここで、液晶分子３１の配向方向は、電界の方向に応じて、第１の透明基板１０の水平面に対して垂直又は略垂直となる。このとき、二色性色素分子３２の光吸収軸（長軸）の方向も、液晶分子の配向方向に従って、第１の透明基板１０の水平面に対して垂直又は略垂直となる。
【００３４】
この場合、第２の偏光板２１に入射する外光が、その偏光軸ＰＬ２に応じて直線偏光となって液晶層ＬＣに入射し、その偏光軸を保ったまま反射板１４に反射されて液晶層ＬＣから出射される。この直線偏光は、その偏光軸が第２の偏光板２１の偏光軸ＰＬ２と一致するため、第２の偏光板２１から出射される。こうして、透過領域及び反射領域共に、ノーマリーブラック型の白表示が実現される。
【００３５】
上述した白表示の動作において、透過領域はＦＦＳ方式により実現されている。即ち、第１の透明基板１０の水平面に対して平行又は略平行に液晶分子３１の配向方向が制御される。これにより、従来例に比して広い視野角を得ることができる。また、低い視角での色変化を極力小さく抑えることができる。
【００３６】
また、従来例とは異なり、同一画素１内において透過型及び反射型の機能をノーマリーホワイト型又はノーマリーブラック型のいずれか一方の表示で両立させるための位相差板（図６の第１の位相差板５７及び第２の位相差板６７に相当）を形成する必要が無い。そのため、透過領域のコントラストが位相差板によって低下することもなく、また、液晶表示装置の薄型化が阻害されることもない。
【００３７】
また、反射領域は、反射板１４上の第１の透明電極層１５と、それに対向する第３の透明電極層２４を用いて、いわゆるゲストホストモードにより制御される。即ち、反射領域では、白表示の際に、液晶分子３１の複屈折を用いない。そのため、複屈折による楕円偏光の一部の光成分が二色性色素分子３２に吸収されることを極力抑えることができる。従って、反射領域の反射率を極力高めることができる。
【００３８】
結果として、半透過型の液晶表示装置において、透過領域のコントラストを劣化させることなく、透過領域の広視野角化と、反射領域の反射率の向上を図ることができる。
【００３９】
次に、本発明の第２の実施形態について説明する。図４は、本実施形態に係る液晶表示装置を示す断面図である。
【００４０】
本実施形態では第１の実施形態の構成に加えて、カラーフィルタ２３の透過領域において、所定の厚さの突起部２５が形成されている。この突起部２５は、透明有機材料からなり、表面が平坦に形成されている。この突起部２５により、透過領域におけるセルギャップＬ１は、反射領域におけるセルギャップＬ２よりも小さくなる。例えば、突起部２５の所定の厚さは、約０．５〜１．５μｍである。また、Ｌ１＜Ｌ２となる範囲で、透過領域のセルギャップＬ１は約３．０〜約４．０μｍであり、反射領域のセルギャップＬ２は約４．５〜約５．５μｍである。なお、この突起部２４は、カラーフィルタ２３上の替わりに第２の透明基板２０上に形成されてもよい。
【００４１】
この液晶表示装置の透過領域では、液晶分子３１の複屈折による白表示の際に、楕円偏光の僅かな光成分が二色性色素分子３２の光吸収軸に沿って入射して吸収される。しかし、この突起部２５によって、透過領域のセルギャップＬ１は反射領域のセルギャップＬ２よりも小さくなっているので、透過領域の液晶層ＬＣに含まれる二色性色素分子３２の量は、反射領域に比して少ない。従って、透過領域において二色性色素分子３２に吸収される光の量が減少するため、輝度の低下は極力低く抑えられる。
【００４２】
ここで、図５の透過率対セルギャップの関係図に示すように、透過領域における透過率（縦軸）は、セルギャップ（横軸）の減少に伴って指数関数的に増加することから、上記効果は顕著に現れることがわかる。なお、図５の透過率対セルギャップの関係図は、媒質の長さと光吸収の関係であるLambertの法則を、液晶表示装置の透過領域に適用したものである。
【００４３】
なお、図示はしていないが、第２の透明電極層１７Ａの電極部１７の長手方向は、配向膜１８のラビング方向に対して、５度程度傾けられてもよく、この場合、液晶分子３１の配向制御性が向上する。また、第１及び第２の実施例では、第１の透明電極層１５が画素電極、第２の透明電極層１７Ａが共通電極である場合を例示したが、その逆であってもよい。この場合、第１の透明電極層１５は透過領域のみに形成される。また、第２の透明電極層１７Ａは、透過領域のみならず、第１の透明電極層１５と絶縁されながら反射領域の反射板１４上に延び、コンタクトホールＣＨを通してＴＦＴ１２に接続される。また、第１及び第２の実施例では、透過領域ではＦＳＳ方式の場合を例示したが、第１の透明電極層と第２の透明電極層を同じ層に配置したＩＰＳ方式でも実現可能である。
【図面の簡単な説明】
【００４４】
【図１】本発明の第１の実施形態に係る液晶表示装置を示す平面図である。
【図２】図１のＸ−Ｘ線に沿った断面図である。
【図３】図１のＸ−Ｘ線に沿った断面図である。
【図４】本発明の第２の実施形態に係る液晶表示装置を示す断面図である。
【図５】透過領域における透過率対セルギャップの関係図である。
【図６】従来例に係る液晶表示装置を示す断面図である。
【符号の説明】
【００４５】
１  画素                          １０，５０  第１の透明基板
１１，５１  第１の偏光板          １２，５２  ＴＦＴ
１３，５３  平坦化膜              １４，５４  反射板
１５，５５  第１の透明電極層      １６  絶縁膜
１７Ａ，６５  第２の透明電極層    １７  電極部              １８  配向膜
２０，６０  第２の透明基板        ２１，６１  第２の偏光板
２２，６２  ブラックマトリクス    ２３，６３  カラーフィルタ
２４  第３の透明電極層            ２５  突起部
３１，７１  液晶分子              ３２  二色性色素分子
５６  第１の位相差板              ６７  第２の位相差板
ＢＬ  バックライト                ＣＨ  コンタクトホール
ＬＣ  液晶層                      Ｓ  スリット部
【図１】
2008070460.tif 000003
【図２】
2008070460.tif 000004
【図３】
2008070460.tif 000005
【図４】
2008070460.tif 000006
【図５】
2008070460.tif 000007
【図６】
2008070460.tif 000008